(57)【特許請求の範囲】
【請求項１】
両面通信モードで画像データを受信する受信手段と、
受信された画像データを格納する第１の記憶手段と、
両面通信モードで受信されて格納された画像データの画像を両面印刷モードで記録する記録手段とを備えた通信端末装置において、
両面通信モードで画像データを転送可能な転送先の情報を含む転送先テーブルを格納する第２の記憶手段と、
両面通信モードで画像データを受信して第１の記憶手段に格納したときに、格納された画像データの画像を上記記録手段により両面印刷モードで記録できないとき、格納された画像データを両面通信モードで上記転送先に転送する転送手段と、
両面通信モードで受信された画像データの画像を上記記録手段により両面印刷モードで記録できないときであっても、両面印刷能力有りを示す通信手順信号を相手機に対して送信する第１の制御手段とを備えたことを特徴とする通信端末装置。
【請求項２】
上記転送手段により格納された画像データを両面通信モードで上記転送先に転送できないとき、上記格納された画像データの画像を片面印刷モードで記録するように上記記録手段を制御する第２の制御手段をさらに備えたことを特徴とする請求項１記載の通信端末装置。
【発明の詳細な説明】
【０００１】
【発明の属する技術分野】
本発明は、両面通信モードで画像データを受信して両面印刷モードで記録するファクシミリ装置などの通信端末装置に関する。
【０００２】
【従来の技術】
従来技術において、ファクシミリ通信の両面通信モードで画像データを受信して画像メモリに格納した後、格納した画像データの画像を両面印刷モードで記録するファクシミリ装置が国際的に標準化され実用化されている（例えば、ＩＴＵ−Ｔ勧告Ｔ．３０  Ａｍｅｎｄｍｅｎｔ  １参照。）。この両面通信モードにおいては、おもて面の画像データと裏面の画像データを交互に送信するアルタネートモードと、おもて面の画像データをまとめて送信した後、裏面の画像データを引き続きまとめて送信するコンティニュアスモードとがある。
【０００３】
【発明が解決しようとする課題】
しかしながら、ファクシミリの両面通信モードによって、両面の画像データを受信して画像メモリに格納したときに、プリンタの記録紙反転部のジャム状態が生じているとき、もしくは記録紙がない状態（片面使用済みの記録紙しかセットされていない状態を含む。）などで両面記録モードで記録できない場合、従来は、両面の画像データは画像メモリに保存されたままであった。また、両面印刷モードで記録できない場合は、「両面印刷能力なし」を示すファクシミリ通信手順信号（ＤＩＳ信号）を相手機に送信していた。
【０００４】
本発明の目的は以上の問題点を解決し、両面記録モードで記録できない場合であっても別のファクシミリ装置などの通信端末装置で記録するように転送できるファクシミリ装置などの通信端末装置を提供することにある。
【０００５】
【課題を解決するための手段】
本発明に係る通信端末装置は、両面通信モードで画像データを受信する受信手段と、受信された画像データを格納する第１の記憶手段と、両面通信モードで受信されて格納された画像データの画像を両面印刷モードで記録する記録手段とを備えた通信端末装置において、両面通信モードで画像データを転送可能な転送先の情報を含む転送先テーブルを格納する第２の記憶手段と、両面通信モードで画像データを受信して第１の記憶手段に格納したときに、格納された画像データの画像を上記記録手段により両面印刷モードで記録できないとき、格納された画像データを両面通信モードで上記転送先に転送する転送手段とを備えたことを特徴とする。
【０００６】
また、上記通信端末装置において、両面通信モードで受信された画像データの画像を上記記録手段により両面印刷モードで記録できないときであっても、両面印刷能力有りを示す通信手順信号を相手機に対して送信する第１の制御手段をさらに備えたことを特徴とする。
【０００７】
さらに、上記通信端末装置において、上記転送手段により格納された画像データを両面通信モードで上記転送先に転送できないとき、上記格納された画像データの画像を片面印刷モードで記録するように上記記録手段を制御する第２の制御手段をさらに備えたことを特徴とする。
【０００８】
【発明の実施の形態】
以下、図面を参照して本発明に係る実施形態について説明する。
【０００９】
図１は、本発明に係る一実施形態であるファクシミリ装置２０の構成を示すブロック図である。
【００１０】
この実施形態に係るファクシミリ装置２０は、両面通信モードで画像データを受信し、受信された画像データを画像メモリ８に格納し、両面通信モードで受信されて格納された画像データの画像を両面印刷モードで記録するプリンタ３を備えたファクシミリ装置であり、ＲＡＭ７は、両面通信モードで画像データを転送可能な転送先のファクシミリ番号を含む転送先テーブル７ａを格納し、主制御部１は、両面通信モードで画像データを受信して画像メモリ８に格納したときに（図２のステップＳ６）、格納された画像データの画像をプリンタ３により両面印刷モードで記録できないとき（ステップＳ８でＮＯ）、格納された画像データを両面通信モードで上記転送先のファクシミリ装置に転送する（図３のステップＳ２３）ことを特徴としている。
【００１１】
また、両面通信モードで受信された画像データの画像をプリンタ３により両面印刷モードで記録できないときであっても（ステップＳ３でＹＥＳ）、転送先テーブル７ａにおいて転送先のファクシミリ番号の設定が有りかつ「両面印刷能力有り」を宣言する両面印刷常時宣言モードが設定されているとき（ステップＳ４でＹＥＳ）、「両面印刷能力有り」を示すファクシミリ通信手順信号であるＤＩＳ信号を相手機に対して送信する（ステップＳ５）ことを特徴としている。さらに、格納された画像データを両面通信モードで上記転送先のファクシミリ装置に転送できないとき（図３のステップＳ２２でＮＯ）、主制御部１は、上記格納された画像データの画像を片面印刷モードで記録するようにプリンタ３を制御する（ステップＳ１３）ことを特徴としている。
【００１２】
図１において、ファクシミリ装置２０は、従来のＧ３方式等のファクシミリ通信機能を備えるとともに、画像データの両面通信モードでのファクシミリ通信能力及び両面印刷能力を備えている。主制御部１は具体的にはＣＰＵで構成されており、バス１３を介して以下のハードウェア各部と接続されていてそれらを制御するほか、後述する種々のソフトウェアの機能を実行する。スキャナ２は、ＣＣＤ等で原稿を読み取り、白黒２値に変換したドットイメージデータを出力する。プリンタ３は電子写真方式等のプリンタ装置であり、他のファクシミリ装置からファクシミリ通信により受信したイメージデータをハードコピーとしてプリントアウトして記録する。液晶ディスプレイ４は表示装置であり、当該ファクシミリ装置２０の動作状態を表示したり、送信すべき原稿のイメージデータ、及び受信したイメージデータの表示を行う。
【００１３】
操作パネル５は、当該ファクシミリ装置２０を操作するために必要な文字キー、ダイヤル用テンキー、短縮ダイヤルキー、ワンタッチダイヤルキー、及び各種のファンクションキー等を備える。なお、上述の液晶ディスプレイ４をタッチパネル方式とすることにより、この操作パネル５の各種キーの内の一部又は全部を代用するように構成してもよい。
【００１４】
ＲＯＭ６は、当該ファクシミリ装置２０の動作に必要であって主制御部１によって実行される種々のソフトウェアのプログラムを予め格納する。ここで、ＲＯＭ６は、少なくとも図２及び図３の着信処理のプログラムを格納する。また、これらのプログラムは、例えば、フロッピーディスク、ＭＯ、ＤＶＤ−ＲＡＭなどの記録媒体に記録して、必要に応じてそのドライブ装置を介してＲＡＭ７にロードして当該プログラムを実行してもよい。ＲＡＭ７は、ＳＲＡＭで構成され、主制御部１のワーキングエリアとして使用されてプログラムの実行時に発生する一時的なデータを記憶する。ここで、ＲＡＭ７は、両面通信モードで画像データを転送可能な転送先のファクシミリ装置のファクシミリ番号を含む転送先テーブル７ａを格納している。画像メモリ８はＣＯＤＥＣ回路１２による画像データに対するファクシミリの符号化又は復号化処理の前後の画像データを格納する記憶装置であり、例えばフラッシュメモリで構成される。
【００１５】
ファックスモデム１０は、公衆電話回線Ｌを介して公衆電話網５０に接続され、通常のファクシミリ通信用のファックスモデムの機能を有するモデムであり、ＦＳＫ信号として受信される用紙サイズ情報のデータを復調して主制御部１に出力する。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１６】
ＣＯＤＥＣ回路１２は、スキャナ２で読み取られて変換された画像データを所定のファクシミリの画像データに符号化し、もしくは、相手機から受信された所定のファクシミリの画像データをビットマップの画像データに復号化する回路である。
【００１７】
以上のように構成された本実施形態のファクシミリ装置２０は、通常のＧ３方式等のファクシミリ通信機能に加えて、画像データの両面通信モードでのファクシミリ通信能力及び両面印刷能力を備えている。ファクシミリ通信機能において、スキャナ２により読み取られたドットイメージデータはファクシミリ通信の規格で定められているＭＨ，ＭＲ，ＭＭＲ等の符号化方式に従ってＣＯＤＥＣ回路１２により符号化された後、相手先のファクシミリ装置に送信される一方、逆に相手先のファクシミリ装置から受信した符号化データもＣＯＤＥＣ回路１２によりイメージデータに復号化されてプリンタ３からハードコピーとして出力される。
【００１８】
図２及び図３は、図１のファクシミリ装置２０の制御部１によって実行される着信処理を示すフローチャートである。
【００１９】
図２において、まず、ステップＳ１において着呼したか否かが判断され、ＹＥＳとなるまでステップＳ１の処理を繰り返し、ＹＥＳとなったときに、ステップＳ２において記録紙があるか否かが判断され、ＹＥＳのときはステップＳ３に進む一方、ＮＯのときはステップＳ４に進む。ステップＳ３においてプリンタ３の両面記録用反転部がジャム状態であるか否かが判断され、ＹＥＳのときはステップＳ４に進む一方、ＮＯのときはステップＳ５に進む。ステップＳ４において転送先テーブル７ａにおいて転送先のファクシミリ番号の設定が有りかつ「両面印刷能力有り」を宣言する両面印刷常時宣言モードが設定されているか否かが判断され、ＹＥＳのときはステップＳ５に進む一方、ＮＯのときはステップＳ１０に進む。
【００２０】
ステップＳ５において「両面印刷能力有り」を示すＤＩＳ信号を送出し、ステップＳ６において画像データを両面通信モードで受信して画像メモリ８に格納した後、ステップＳ７において回線開放する。次いで、ステップＳ８において記録紙が有りかつ反転部がジャム状態ではないか、そうではないかが判断され、ＹＥＳのときはステップＳ９に進む一方、ＮＯのときは図３のステップＳ２１に進む。ステップＳ９において画像メモリ８に格納された画像データを両面印刷モードで印刷して当該着信処理を終了する。
【００２１】
一方、ステップＳ１０では、「両面印刷能力なし」を示すＤＩＳ信号を送出し、ステップＳ１１において画像データを片面通信モードで受信して画像メモリ８に格納した後、ステップＳ１２において回線開放し、ステップＳ１３に進む。次いで、ステップＳ１３において画像メモリ８に格納された画像データを片面印刷モードで印刷して当該着信処理を終了する。
【００２２】
図３のステップＳ２１において予め決められた転送先に発呼し、ステップＳ２２において転送先の相手機から「両面印刷能力有り」を示すＤＩＳ信号を受信したか否かが判断され、ＹＥＳのときはステップＳ２３に進む一方、ＮＯのときはステップＳ２５に進む。ステップＳ２３において画像メモリ８に格納された画像データを両面通信モードで送信した後、ステップＳ２４において回線開放し、当該着信処理を終了する。一方、ステップＳ２５においてＤＣＮ信号を送出し、ステップＳ２６において回線開放した後、図２のステップＳ１３に戻る。そして、画像メモリ８に格納された画像データを片面印刷モードで印刷して当該着信処理を終了する。
【００２３】
以上説明したように、実施形態によれば、ＲＡＭ７は、両面通信モードで画像データを転送可能な転送先のファクシミリ番号を含む転送先テーブル７ａを格納し、主制御部１は、両面通信モードで画像データを受信して画像メモリ８に格納したときに（図２のステップＳ６）、格納された画像データの画像をプリンタ３により両面印刷モードで記録できないとき（ステップＳ８でＮＯ）、格納された画像データを両面通信モードで上記転送先のファクシミリ装置に転送する（図３のステップＳ２３）。従って、受信した画像データの画像を両面印刷モードで記録できない状態でも、他のファクシミリ装置に転送して両面記録モードで記録することができる。
【００２４】
また、両面通信モードで受信された画像データの画像をプリンタ３により両面印刷モードで記録できないときであっても（ステップＳ３でＹＥＳ）、転送先テーブル７ａにおいて転送先のファクシミリ番号の設定が有りかつ「両面印刷能力有り」を宣言する両面印刷常時宣言モードが設定されているとき（ステップＳ４でＹＥＳ）、「両面印刷能力有り」を示すファクシミリ通信手順信号であるＤＩＳ信号を相手機に対して送信する（ステップＳ５）。従って、記録紙が再セットされたり、もしくは記録紙のジャム状態が解除された場合において、自機において両面印刷モードで記録できることができ（ステップＳ８でＹＥＳ、Ｓ９）、もしくは、受信した画像データの画像を両面印刷モードで記録できない状態でも、他のファクシミリ装置に転送して両面記録モードで記録することができる（ステップＳ８でＮＯ、図３のステップＳ２１−Ｓ２３）。
【００２５】
さらに、格納された画像データを両面通信モードで上記転送先のファクシミリ装置に転送できないとき（図３のステップＳ２２でＮＯ）、主制御部１は、上記格納された画像データの画像を片面印刷モードで記録するようにプリンタ３を制御する（ステップＳ１３）。従って、上記転送先のファクシミリ装置に転送できないときは、自機で片面印刷モードで記録でき、送信されてきた画像データの画像の内容を確認できる。
【００２６】
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００２７】
【発明の効果】
以上詳述したように本発明に係る通信端末装置によれば、両面通信モードで画像データを受信する受信手段と、受信された画像データを格納する第１の記憶手段と、両面通信モードで受信されて格納された画像データの画像を両面印刷モードで記録する記録手段とを備えた通信端末装置において、両面通信モードで画像データを転送可能な転送先の情報を含む転送先テーブルを格納する第２の記憶手段と、両面通信モードで画像データを受信して第１の記憶手段に格納したときに、格納された画像データの画像を上記記録手段により両面印刷モードで記録できないとき、格納された画像データを両面通信モードで上記転送先に転送する転送手段とを備える。従って、受信した画像データの画像を両面印刷モードで記録できない状態でも、他のファクシミリ装置などの通信端末装置に転送して両面記録モードで記録することができる。
【００２８】
また、上記通信端末装置において、両面通信モードで受信された画像データの画像を上記記録手段により両面印刷モードで記録できないときであっても、両面印刷能力有りを示す通信手順信号を相手機に対して送信する第１の制御手段をさらに備える。従って、記録紙が再セットされたり、もしくは記録紙のジャム状態が解除された場合において、自機において両面印刷モードで記録できることができ、もしくは、受信した画像データの画像を両面印刷モードで記録できない状態でも、他のファクシミリ装置などの通信端末装置に転送して両面記録モードで記録することができる。
【００２９】
さらに、上記通信端末装置において、上記転送手段により格納された画像データを両面通信モードで上記転送先に転送できないとき、上記格納された画像データの画像を片面印刷モードで記録するように上記記録手段を制御する第２の制御手段をさらに備える。従って、上記転送先の通信端末装置に転送できないときは、自機で片面印刷モードで記録でき、送信されてきた画像データの画像の内容を確認できる。
【図面の簡単な説明】
【図１】本発明に係る一実施形態であるファクシミリ装置２０の構成を示すブロック図である。
【図２】図１のファクシミリ装置２０の制御部１によって実行される着信処理の第１の部分を示すフローチャートである。
【図３】図１のファクシミリ装置２０の制御部１によって実行される着信の第２の部分を示すフローチャートである。
【符号の説明】
１…主制御部、
２…スキャナ、
３…プリンタ、
４…液晶ディスプレイ、
５…操作パネル、
６…ＲＯＭ、
７…ＲＡＭ、
７ａ…転送先テーブル、
８…画像メモリ、
１０…ファックスモデム、
１１…ＮＣＵ、
１２…ＣＯＤＥＣ回路、
１３…バス、
２０…ファクシミリ装置、
Ｌ…公衆電話回線。
【図１】
0003613205.tif 000002
【図２】
0003613205.tif 000003
【図３】
0003613205.tif 000004